(57)【特許請求の範囲】
【請求項１】
焦点調節するためのフォーカスレンズと、
前記フォーカスレンズを駆動する駆動手段と、
前記フォーカスレンズのプリセット位置を記憶するメモリと、
前記プリセット位置を前記メモリに記憶させる設定手段と、
動画撮影モードにおいて、前記設定手段により前記メモリに記憶されたプリセット位置に前記フォーカスレンズを駆動する駆動速度よりも、静止画撮影モードにおいて、前記プリセット位置に前記フォーカスレンズを駆動する駆動速度の方が大きくなるように前記駆動手段を制御する制御部と、
を有することを特徴とする光学機器。
【請求項２】
前記静止画撮影モードにおける前記フォーカスレンズの駆動速度は、前記フォーカスレンズを駆動可能な最高速度であることを特徴とする請求項１に記載の光学機器。
【請求項３】
前記静止画撮影モードにおいて前記フォーカスレンズを有する光学系を用いて撮影された被写体の画像をリアルタイムに表示手段に表示する場合に、前記静止画撮影モードにおける前記フォーカスレンズの駆動速度と前記動画撮影モードにおける前記フォーカスレンズの駆動速度を選択可能にする手段を有することを特徴とする請求項１または２に記載の光学機器。
【請求項４】
前記制御部は、前記動画撮影モードにおいて、前記プリセット位置に前記フォーカスレンズを駆動させる命令を出す駆動命令手段の操作量が第１の量である場合の前記フォーカスレンズの駆動速度よりも、前記操作量が前記第１の量よりも大きい第２の量である場合の前記フォーカスレンズの駆動速度が大きくなるように前記駆動手段を制御することを特徴とする請求項１乃至３のいずれか１項に記載の光学機器。
【請求項５】
前記制御部は、焦点距離が第１の値である場合の前記フォーカスレンズの駆動速度よりも、前記焦点距離が前記第１の値よりも小さい第２の値である場合の前記フォーカスレンズの駆動速度が大きくなるように前記駆動手段を制御することを特徴とする請求項１乃至３のいずれか１項に記載の光学機器。
【請求項６】
前記制御部は、絞り口径値が第１の値である場合の前記フォーカスレンズの駆動速度よりも、前記絞り口径値が前記第１の値よりも小さい第２の値である場合の前記フォーカスレンズの駆動速度が大きくなるように前記駆動手段を制御することを特徴とする請求項１乃至３のいずれか１項に記載の光学機器。
【請求項７】
自動焦点調節を行うスイッチを有し、
前記動画撮影モードにおいて、前記フォーカスレンズを前記プリセット位置に駆動している間に前記スイッチによって自動焦点調節が命令された場合には、前記プリセット位置の所定量手前の位置まで前記フォーカスレンズを駆動した後、前記駆動速度を維持したまま前記自動焦点調節を行うことを特徴とする請求項１乃至６のいずれか１項に記載の光学機器。
【請求項８】
前記プリセット位置への前記フォーカスレンズの駆動を操作可能な再生駆動スイッチ及び前記再生駆動スイッチへの操作を検知する再生検出手段を有することを特徴とする請求項１乃至７のいずれか１項に記載の光学機器。
【請求項９】
前記再生駆動スイッチは、前記フォーカスレンズを有するレンズ鏡筒の円周方向に回転可能なリングであり、前記再生検出手段は、前記再生駆動スイッチの回転量を検知可能な検知スイッチであることを特徴とする請求項８に記載の光学機器。
【請求項１０】
前記制御部は、前記再生検出手段により検知された前記再生駆動スイッチの回転量に応じて、異なる駆動速度で前記フォーカスレンズを駆動することを特徴とする請求項９に記載の光学機器。
【請求項１１】
前記メモリは、前記設定手段に対する操作に応じて前記フォーカスレンズの位置を記憶することを特徴とする請求項１乃至７のいずれか１項に記載の光学機器。
【請求項１２】
前記設定手段は、前記フォーカスレンズを有するレンズ鏡筒に形成されたスイッチであることを特徴とする請求項１１に記載の光学機器。
【請求項１３】
再生駆動スイッチを有し、
前記制御部は、前記再生駆動スイッチに対する操作に応じて前記プリセット位置に前記フォーカスレンズを駆動するように前記駆動手段を制御することを特徴とする請求項１〜７、１１のいずれか１項に記載の光学機器。
【請求項１４】
前記再生駆動スイッチは、前記フォーカスレンズを有するレンズ鏡筒の円周方向に回転可能に構成されたリングであることを特徴とする請求項１３に記載の光学機器。
【発明の詳細な説明】
【技術分野】
【０００１】
本発明は、レンズ鏡筒やレンズ鏡筒が一体型の撮像装置などの光学機器に関する。
【背景技術】
【０００２】
特許文献１は、ある被写体距離に合焦するフォーカスレンズの位置を予め記憶し、フォーカスレンズを記憶位置に移動させるフォーカスプリセット機能を有するレンズ鏡筒を開示している。特許文献２は、起動スイッチ操作により徐々にピンボケ状態に移行し（フォーカスアウト）、再度起動スイッチ操作によって合焦状態に移行する（フォーカスイン）ビデオカメラを開示している。
【先行技術文献】
【特許文献】
【０００３】
【特許文献１】特開２０００−３０５００８号公報
【特許文献２】特許２７０２９６８号明細書
【発明の概要】
【発明が解決しようとする課題】
【０００４】
従来技術は、静止画撮影や動画撮影の撮影モードや焦点距離、エクステンダー装着の有無、絞り設定値等の撮影条件に応じて別個のフォーカスプリセット機能を設定することができなった。例えば、静止画撮影においてはフォーカスレンズを素早くプリセット位置に移動し、動画撮影においては安定した速度でピント変化をさせる需要があり、このような需要に応えることができなかった。
【０００５】
そこで、本発明は、動画撮影モードと静止画撮影モードとで異なるフォーカスプリセットを実現することが可能な光学機器を提供することを例示的な目的とする。
【課題を解決するための手段】
【０００６】
本発明の一側面としての光学機器は、焦点調節するためのフォーカスレンズと、前記フォーカスレンズを駆動する駆動手段と、前記フォーカスレンズのプリセット位置を記憶するメモリと、前記プリセット位置を前記メモリに記憶させる設定手段と、動画撮影モードにおいて、前記設定手段により前記メモリに記憶されたプリセット位置に前記フォーカスレンズを駆動する駆動速度よりも、静止画撮影モードにおいて、前記プリセット位置に前記フォーカスレンズを駆動する駆動速度の方が大きくなるように前記駆動手段を制御する制御部と、を有することを特徴とする。
【発明の効果】
【０００８】
本発明によれば、動画撮影モードと静止画撮影モードとで異なるフォーカスプリセット機能を実現することが可能な光学機器を提供することができる。
【図面の簡単な説明】
【０００９】
【図１】本実施例の撮像装置のブロック図である。
【図２】図１に示すレンズ鏡筒の一例の側面図である。
【図３】図２に示すレンズ鏡筒の部分拡大斜視図である。
【図４】図１に示すレンズマイコンの動作を説明するためのフローチャートである。
【発明を実施するための形態】
【００１０】
図１は、本実施例の撮像装置の構成を示すブロック図であり、破線は光軸を表している。撮像装置は、レンズ交換型のデジタル一眼レフカメラであるが、デジタルビデオカメラなど撮像装置の種類は限定されない。また、撮像装置は、撮影光学系を光軸方向に微小移動させるウォブリングを行うことによって合焦位置（コントラストのピーク位置）がある合焦方向を判別するコントラスト方式の自動焦点調節（ＡＦ）機能を有する。
【００１１】
撮像装置は、カメラ本体１００と、カメラ本体１００に交換可能に装着されるレンズ鏡筒（交換レンズまたはレンズユニット）１５０を有し、レンズ鏡筒１５０が交換可能に構成されている。本体１００とレンズ鏡筒１５０の機械的な着脱は、本体１００とレンズ鏡筒１５０のそれぞれの不図示のマウントを介してなされる。また、本体１００とレンズ鏡筒１５０の電気的な接続および切断は、本体１００とレンズ鏡筒１５０のそれぞれの不図示のコネクタを介してなされる。
【００１２】
本体１００は、サブミラー１０５と、焦点検出回路１０７、撮像素子１１０、信号処理回路１２０、表示手段１２４、設定手段１２８、カメラマイコン（制御部）１３０、メモリ１４０、その他の部材を有する。
【００１３】
サブミラー１０５は、不図示の主ミラーと共に光軸上に配置され、光路上に退避可能に配置されている。図１は非撮影時の状態を示しており、この状態では、主ミラーは入射光束の一部を不図示の光学ファインダに反射し、一部をサブミラー１０５に透過し、サブミラー１０５は焦点検出回路１０７に入射光束を反射する。また、撮影時には主ミラーとサブミラー１０５は、光路から退避し、入射光束を撮像素子１１０に導く。
【００１４】
焦点検出回路１０７は、サブミラー１０５で反射された光束を内部に配置された光電変換を行うセンサで受光する。デフォーカス量は、このセンサの出力を演算することによって位相差方式を利用して求められる。カメラマイコン１３０は演算結果を評価してレンズマイコン１６０に指示し、フォーカスレンズ１５２を所定量移動する。
【００１５】
撮像素子１１０は、撮影光学系が形成した光学像を電気信号である画像データに変換し、例えば、ＣＣＤセンサやＣＭＯＳセンサから構成される。撮像素子１１０から画像データは不図示のＡＧＣ／ＡＤ回路などを経てデジタル信号として信号処理回路１２０に入力される。
【００１６】
信号処理回路１２０は、撮像素子１１０とカメラマイコン１３０に接続され、デジタル画像データに、フィルタ処理、色変換処理、ガンマ処理圧縮処理を含む処理を施し、カメラマイコン１３０へ送信する。信号処理回路１２０で表示用の画像として処理された画像データは表示駆動回路１２２に送られてカメラ本体１００の背面に電子ビューファインダとして構成された表示手段１２４に画像として表示される。
【００１７】
設定手段１２８は、モードダイヤルや各種の操作部材を含み、静止画撮影モードや動画撮影モード等の撮影モードを設定する。
【００１８】
カメラマイコン１３０は、撮像素子１１０、信号処理回路１２０、設定手段１２８に接続されると共に、不図示のコネクタを介してレンズ鏡筒１５０のレンズマイコン１６０に接続されているマイクロコンピュータ（ＣＰＵ、プロセッサ）である。
【００１９】
メモリ１４０は、各種の情報を保持している。
【００２０】
レンズ鏡筒１５０は、撮影光学系１５１、駆動手段１５３、位置検出手段１５４、再生駆動スイッチ１５５、再生検出手段１５６、レンズマイコン１６０、設定手段１６３、メモリ１６６を有する。
【００２１】
撮影光学系１５１は、被写体の光学像を形成して撮像素子１１０に集光させ、変倍時に光軸方向に移動される不図示のズームレンズや焦点調節時に光軸方向に移動されるフォーカスレンズ１５２などの複数枚のレンズを有する。駆動手段１５３は、フォーカスレンズ１５２を光軸方向に移動し、超音波モータ、ＤＣモータ、ステッピングモータなどから構成され、レンズマイコン１６０によって駆動制御される。
【００２２】
位置検出手段１５４は、フォーカスレンズ１５２の光軸上の位置を検出し、エンコーダや磁気センサなどから構成される。例えば、駆動手段１５３の出力キーを光軸周りに回転可能に構成し、出力キーの回転と同時にエンコーダから回転量に応じて発生されるパルスとグレーコードパターン上をブラシが走行することでフォーカスレンズ１５２の位置を検出することができる。
【００２３】
再生駆動スイッチ１５５は、設定手段１６３によって設定された位置にフォーカスレンズを駆動する命令を出す駆動命令手段であり、予め定められた駆動量を設定する。なお、後述するように、再生駆動スイッチ１５５はレンズ鏡筒１５０に設けられていてもよいし、カメラ本体１００に設けられてレンズマイコン１６０はその命令を取得するだけでもよい。再生検出手段１５６は、再生駆動スイッチ１５５が操作されたこと、および、その場合の操作量を検出する。
【００２４】
レンズマイコン１６０は、カメラマイコン１３０と電気的に接続され、撮影動作に必要な情報の交換を行う制御部であり、マイクロコンピュータ（ＣＰＵ、プロセッサ）から構成されている。レンズマイコン１６０とカメラマイコン１３０との接続は双方向データ通信を行う。
【００２５】
レンズマイコン１６０は撮影モード判別手段１６１を有する。撮影モード判別手段１６１は、現在設定されている撮影モードが静止画撮影モードであるか動画撮影モードであるかを判断する。
【００２６】
設定手段１６３は、フォーカスプリセット情報をメモリ１６６に設定する。フォーカスプリセット情報は、ある被写体距離に対して合焦するフォーカスレンズ１５２の位置である。フォーカスプリセット情報をメモリ１６６に記憶させることによって、その後にフォーカスレンズ１５２を移動させた場合でも、復帰操作により記憶位置にフォーカスレンズ１５２を復帰させることができる（フォーカスプリセット機能）。
【００２７】
メモリ１６６は、フォーカスプリセット情報、後述する制御方法に必要な情報やそのプログラム、その他の各種の情報を保持する。フォーカスプリセットに必要な情報は、静止画撮影モードでプリセット位置までフォーカスレンズ１５２を移動する第１速度、動画撮影モードでプリセット位置までフォーカスレンズ１５２を移動する第２速度や第３速度などを含む。
【００２８】
図２は、レンズ鏡筒１５０の例示的な構成の側面図である。レンズ鏡筒１５０は図２に示すマウントＭを介してカメラ本体１００に取り付けられる。図２に示すレンズ鏡筒１５０は、駆動手段１５３を内蔵してマニュアルフォーカス（ＭＦ）を行わせるためのフォーカス環１７０と、設定手段１６３、フォーカスモード切替スイッチ１６８を有している。
【００２９】
設定手段１６３はスイッチパネルとして構成され、フォーカスプリセットスイッチ１６４とセットボタン１６５を有する。フォーカスプリセットスイッチ１６４は、フォーカスプリセット機能のオン、オフを切り替え、プリセット時と移動完了時にブザー音を発生させるブザーモードも有している。セットボタン１６５はプッシュスイッチで構成され、フォーカスプリセットスイッチ１６４がオンまたはブザーモードに設定されている場合に押されると現在の焦点位置（フォーカスレンズ位置）をメモリ１６６に記憶する。これにより、メモリ１６６にフォーカスプリセット情報が格納される。
【００３０】
フォーカスモード切替スイッチ１６８は、フォーカスレンズ１５２のモードをオートフォーカス（ＡＦ）モード、再生駆動スイッチ１５５の操作に対応するＰＦ（パワーフォーカス）モード、フォーカス環１７０の操作に対応するＭＦモードの間で切り替える。
【００３１】
図２においては、再生駆動スイッチ１５５は再生リングとして構成されている。図３は、再生駆動スイッチ１５５付近のレンズ鏡筒１５０の部分拡大斜視図である。再生リングは、不図示のストッパーによって回転角度が規制された状態でＡ方向とＢ方向に回転可能に構成され、不図示の弾性部材によって回転角の中点位置に復帰するように付勢されている。図３は、再生リングが中点に復帰している状態を示している。
【００３２】
再生検出手段１５６として機能する２つの検知スイッチ１５７ａ、１５７ｂが再生リングの回転を検知すると、レンズマイコン１６０は予め設定された位置にフォーカスレンズ１５２を移動させる。そして、本実施例では、再生検出手段１５６が検出した再生駆動スイッチ１５５の操作量と撮影モード（操作条件）に応じて、レンズマイコン１６０はフォーカスレンズ１５２をプリセット位置に移動する駆動速度を制御している。
【００３３】
レンズ鏡筒１５０の周方向の平面部にはフレキシブルプリント基板（ＦＰＣ）１７２が貼り付けられている。ＦＰＣ１７２は、再生検出手段１５６とレンズマイコン１６０とを接続し、再生検出手段１５６が検出した検出結果をレンズマイコン１６０に送信する。
【００３４】
ＦＰＣ１７２上には２つの検知スイッチ１５７ａ、１５７ｂと、２つのコネクタ１７４ａ、１７４ｂが実装されている。検知スイッチ１５７ａ、１５７ｂは共に同じスイッチング素子であり、それらのレバー１５８ａ、１５８ｂが左右に倒れることで別々の端子と接続し、一つの素子で２つの信号出力を得ることができる。
【００３５】
再生リングの内周部には溝１５５ａ、１５５ｂが形成されており、その幅は溝１５５ａの方が狭い。再生リングをＡ方向に回転させると、溝１５５ａの壁が検知スイッチ１５７ａのレバー１５８ａに当接し、レバー１５８ａがＡ方向に倒れることで再生リングのＡ方向への回転を検知する。更に、回転を継続すると溝１５５ｂの壁が検知スイッチ１５７ｂのレバー１５８ｂに当接し、レバー１５８ｂがＡ方向に倒れ再生リングのＡ方向への２段階目の操作量として検知する。
【００３６】
Ｂ方向も同様に再生リングをＢ方向に回転させると、溝１５５ａの壁が検知スイッチ１５７ａのレバー１５８ａに当接し、レバー１５８ａがＢ方向倒れることで再生リングのＢ方向への回転を検知する。更に、回転を継続すると溝１５５ｂの壁が検知スイッチ１５７ｂのレバー１５８ｂに当接し、レバー１５８ｂがＢ方向に倒れ再生リングのＢ方向への２段目の操作量として検知する。なお、図３において、１７７ａ、１７７ｂは検知スイッチの両側にはＦＰＣ１７２の剥がれを防止し、検知スイッチの位置を決めるためにビスである。また、１７８は、検知スイッチ１５７ａ、１５７ｂの情報をレンズマイコン１６０に伝達するための中継用ＦＰＣである。
【００３７】
この結果、最初の操作量と方向を検知スイッチ１５７ａが検知し、更なる操作量を検知スイッチ１５７ｂが検知して再生リングの回転を２段階に検知することができる。従って、再生駆動スイッチ１５５の操作量に応じた制御を行うことが可能になる。
【００３８】
なお、図３に示す再生リングの回転角の検出は単なる例示であり、再生リングの回転角を抵抗値で検知し、操作量を無段階あるいは多段階で検知してもよいし、再生リングにマグネットを配置し、その磁気の向きを検知することで操作量を検知してもよい。
【００３９】
図４は、本実施形態のフォーカスプリセット機能に関する制御方法を説明するためのフローチャートであり、「Ｓ」はステップの略である。図４に示す制御方法はコンピュータによって実行可能なプログラムとして具現化され、レンズマイコン１６０によって実行される。なお、レンズ鏡筒１５０がカメラ本体１００に一体型の撮像装置においては、図４に示す動作はカメラマイコン１３０が行い、設定手段１２８が設定手段１６３として機能し、メモリ１４０がメモリ１６６として機能する。
【００４０】
まず、レンズマイコン１６０の撮影モード判別手段１６１がカメラマイコン１３０との通信によって設定手段１２８によってカメラ本体１００に設定された撮影モードを判別する（Ｓ１０１）。
【００４１】
撮影モード判別手段１６１が静止画撮影モードが設定されていると判別すると（Ｓ１０１のＮｏ）、レンズマイコン１６０は、再生駆動スイッチ１５５の操作とその操作量の情報を、再生検出手段１５６から取得する（Ｓ１０２）。
【００４２】
レンズマイコン１６０は、検知スイッチ１５７ａの作動を検知すると（Ｓ１０２のＹｅｓ）、フォーカスレンズ１５２を駆動手段１５３でプリセット位置まで第１速度で駆動する（Ｓ１０３）。この時の第１速度は、フォーカスレンズ１５２を駆動手段１５３で駆動可能な最高速度である。
【００４３】
次に、レンズマイコン１６０は、フォーカスレンズ１５２がプリセット位置に到達したかどうかの情報を位置検出手段１５４の検出結果に基づいて判断する（Ｓ１０４）。プリセット位置まで駆動すると（Ｓ１０４のＹｅｓ）、レンズマイコン１６０は、停止信号をカメラマイコン１３０に伝達し（Ｓ１０５）、カメラ本体１００はそれをユーザに知らせることができる。
【００４４】
この結果、例えば、移動する被写体に対しても置きピンのように追跡して瞬時にフォーカスレンズ１５２をプリセット位置に駆動して撮影することができる。なお、駆動停止時は所定量手前より減速させ、プリセット位置に精度良く止められるように制御される。
【００４５】
一方、撮影モード判別手段１６１が動画撮影モードが設定されていると判別すると（Ｓ１０１のＹｅｓ）、レンズマイコン１６０は、再生駆動スイッチ１５５の操作とその操作量の情報を、再生検出手段１５６から取得する（Ｓ１０６）。
【００４６】
レンズマイコン１６０は、検知スイッチ１５７ａ、１５７ｂの作動を検知すると、フォーカスレンズ１５２をプリセットされた位置まで第１速度よりも小さい速度で駆動する（Ｓ１０７）。この結果、動画撮影において安定した速度で滑らかにピント変化をさせることができる。従来は動画撮影時にフォーカスプリセット機能自体が禁止されていたが、本実施形態では動画撮影時にもピント変化の滑らかさを維持した範囲でフォーカスインまたはフォーカスアウトとしてピント変化を映像表現として使用することができる。
【００４７】
この時、検知スイッチ１５７ａのみが作動している時は、フォーカスレンズ１５２を第２速度で駆動し、検知スイッチ１５７ａ、１５７ｂが共に作動している際には第２速度よりも速い第３速度でフォーカスレンズ１５２を駆動する。
【００４８】
このように、再生リングの操作量（またはフォーカスレンズ１５２の現在位置から目標位置までの移動量）が大きい場合は、フォーカスレンズ１５２の駆動速度をより大きく設定している。本実施形態では、検知スイッチ１５７ａが作動して検知スイッチ１５７ｂが作動しない場合のフォーカスレンズ１５２の移動量（第１の量）よりも検知スイッチ１５７ａ、１５７ｂが共に作動しているフォーカスレンズ１５２の移動量（第２の量）の方が大きい。
【００４９】
一例として、第２速度を像面駆動速度が５ｍｍ／秒、第３速度を像面駆動速度１０ｍｍ／秒に設定してもよい。これらの速度は、メモリ１６６のテーブルで書き換え可能である。
【００５０】
また、像面駆動速度に応じて設定することから、焦点距離が変化するズームレンズに適用する際には、焦点距離に応じて変化する。また、レンズ鏡筒１５０にエクステンダー（レンズ）が装着可能な場合には、装着の有無によって焦点距離が変わるため、フォーカスレンズ１５２の駆動に対する像面移動量も変化する。従って、装着の有無によってフォーカスレンズ１５２の駆動速度を変更してもよい。例えば、レンズマイコン１６０は、焦点距離が第１の値である場合のフォーカスレンズの駆動速度よりも、焦点距離が第１の値よりも小さい第２の値である場合にはフォーカスレンズの駆動速度を大きくしてもよい。
【００５１】
また、設定手段１２８によって設定された絞り口径値によってフォーカスレンズ１５２の駆動速度を変更してもよい。これは絞りが小絞り側に設定された状態で動画を撮影されている場合はピント変化を感じにくくなる為、その場合はフォーカスレンズの駆動速度を大きく設定してもよい。この場合、撮影モード判別手段１６１は、撮影モードだけでなく、焦点距離、エクステンダー装着の有無、絞り設定値などを含む撮影条件を取得する撮影条件取得部として機能してもよい。
【００５２】
また、一度検知スイッチ１５７ａが作動するとフォーカスレンズ１５２の駆動を開始するので、第３速度で駆動するためには再生リングを付き当てまで回転させたまま保持すればよい。また、第２速度での駆動時には検知スイッチ１５７ｂが作動しても手を離すと中点復帰動作により、検知スイッチ１５７ｂはオフになり、検知スイッチ１５７ａの作動だけの状態を通過して中点位置まで遷移させればよい。
【００５３】
次に、レンズマイコン１６０は、再生駆動中にフォーカスモード切替スイッチ１６８においてＰＦモードからＡＦモードに切り替えられてＡＦ開始命令がなされたかどうかを判断する（Ｓ１０８）。レンズマイコン１６０は、ＡＦ開始命令が検知されない場合は（Ｓ１０８のＮｏ）、プリセット位置までフォーカスレンズ１５２が到達したかを判断する（Ｓ１０９）。プリセット位置まで駆動した後でレンズマイコン１６０は停止信号をカメラマイコン１３０に伝達する。尚、駆動停止時は所定量手前より減速させ、プリセット位置に精度良く止められるように制御される。再生駆動中プリセット位置まで到達していない場合はＳ１０７へ戻る。
【００５４】
一方、ＡＦ開始命令を検知した場合は（Ｓ１０８のＹｅｓ）、レンズマイコン１６０は、プリセット位置の所定量手前からプリセット位置までの範囲内にいるかどうかを判定する（Ｓ１１１）。レンズマイコン１６０は、範囲内にいる場合は（Ｓ１１１のＹｅｓ）そのまま現在の速度をほぼ維持したままＡＦ駆動制御を行う（Ｓ１１２）。範囲内に無い場合は（Ｓ１１１のＮｏ）、範囲内に入るまで待つ。これによって、合焦位置へフォーカスレンズ１５２を移動するまでの時間を短くすることができる。
【００５５】
次に、レンズマイコン１６０は、合焦したかどうかを判定し（Ｓ１１３）、合焦した場合は（Ｓ１１３のＹｅｓ）停止信号をカメラマイコン１３０に伝達する。
【００５６】
なお、設定手段１２８が、再生駆動を開始する駆動命令を出してもよい。設定手段１２８での操作検出方法は再生リングと同様である。更には、静止画撮影においても背面の表示手段１２４にリアルタイムで撮影画像を表示させたまま撮影（ライブビュー撮影）することも可能である。この場合、ピント変化を確認しながら撮影を行いたい場合もあるため、Ｓ１０１で静止画と判定されてもライブビュー撮影による静止画撮影の場合は、動画撮影モードと同様な制御を選択するように、第１速度と第２速度を選択できるようにしてもよい。その設定は設定手段１２８で行ってもよいし、設定手段１６３で行ってもよい。
【００５７】
以上、本実施形態について説明したが、本発明は本実施形態に限定されず、その要旨の範囲内で種々の変形及び変更が可能である。
【産業上の利用可能性】
【００５８】
光学機器はレンズ鏡筒またはレンズ鏡筒が一体型の撮像装置に適用することができる。
【符号の説明】
【００５９】
１５０                              レンズ鏡筒（光学機器）
１５１                              撮影光学系
１５２                              フォーカスレンズ
１５３                              駆動手段
１６０                              レンズマイコン（制御部）
１６１                              撮影モード判別手段
１６６                              メモリ
【図１】
0005794661.tif 000002
【図２】
0005794661.tif 000003
【図３】
0005794661.tif 000004
【図４】
0005794661.tif 000005